(57)【要約】【課題】  本発明の課題は、ウィルスや菌を除去する効果をより長期に持続させることができる空気清浄システム１０１および空気清浄装置２０１を提供することにある。【解決手段】  空気清浄システム１０１は、通風路２０および第１除菌部を備える。通風路２０は、空気を配送するために設けられる。第１除菌部は、空気に含まれるウィルスまたは菌を除去する。また、この第１除菌部は、通風路２０内に設けられる環状移動機構４０により環状移動する。【選択図】      図１
2005164069.tif 000002
【特許請求の範囲】
【請求項１】
空気を配送するための通風路（２０）と、
前記空気に含まれるウィルスまたは菌を除去する第１除菌部と、
を備え、
前記第１除菌部は、前記通風路内（２０）に設けられる環状移動機構（４０）により環状移動する、
空気清浄システム（１０１）。
【請求項２】
前記第１除菌部を洗浄するための洗浄部（１５５）をさらに備える、
請求項１に記載の空気清浄システム（１０１）。
【請求項３】
前記通風路（２０）は、内壁に第２除菌部を保持する、
請求項１または２に記載の空気清浄システム（１０１）。
【請求項４】
前記ウィルスまたは前記菌を除去する第３除菌部を有するフィルタ（１２）をさらに備える、
請求項１から３のいずれかに記載の空気清浄システム（１０１）。
【請求項５】
前記環状移動機構（４０）は、前記空気の配送方向と交差する状態で移動する交差面（４４）を有し、
前記第１除菌部は、前記交差面（４４）に設けられる、
請求項１から４のいずれかに記載の空気清浄システム（１０１）。
【請求項６】
前記第１除菌部は、前記ウィルスまたは前記菌を吸着する吸着部を含む、
請求項１から５のいずれかに記載の空気清浄システム（１０１）。
【請求項７】
前記第１除菌部は、所定の波長領域の光が照射されることにより前記ウィルスまたは前記菌を除去する光触媒をさらに含む、
請求項１から６のいずれかに記載の空気清浄システム（１０１）。
【請求項８】
前記通風路（２０）は、前記所定の波長領域の光を取り入れる採光部（２５）を有する、
請求項７に記載の空気清浄システム（１０１）。
【請求項９】
前記通風路（２０）は、前記所定の波長領域の光を照射する光源（６０）を有する、
請求項７に記載の空気清浄システム（１０１）。
【請求項１０】
前記環状移動機構（４０）の上に堆積する塵埃を排出する塵埃排出部（５０）をさらに備える、
請求項１から９に記載の空気清浄システム（１０１）。
【請求項１１】
空気を配送するための通風路と、
前記空気に含まれるウィルスまたは菌を除去する除菌部（２３３）と、
を備え、
前記除菌部（２３３）は、前記通風路内に設けられる環状移動機構（２４１，２４２）により環状移動する、
空気清浄装置（２０１）。
【発明の詳細な説明】
【技術分野】
【０００１】
本発明は、空気清浄システムおよび空気清浄装置に関する。
【背景技術】
【０００２】
近年、ＳＡＲＳやインフルエンザなど、人にとって非常に有害なウィルスが大流行するなどしたため、屋内の空気の浄化技術が非常に注目されるようになっている。このような空気浄化技術の一例として、空気通路の内壁に光触媒を担持する技術などがある（例えば、特許文献１参照。）。この光触媒は、所定の波長領域の光が照射されることによりウィルスや菌を除去する能力を有する。
【特許文献１】特開平１０−６１０５１号公報
【発明の開示】
【発明が解決しようとする課題】
【０００３】
ところで、空気中には、ウィルスや菌だけでなく鉱物粉塵などの無機物なども含まれている場合がある。しかし、光触媒は、無機物を分解除去することはできない。したがって、そのような無機物が徐々に光触媒上に堆積していくおそれがある。このように光触媒上に無機物が徐々に堆積していくと、光触媒は、ウィルスや菌と接触できない状態に陥り、十分な機能を発揮できなくなることが想定される。
【０００４】
本発明の課題は、ウィルスや菌を除去する効果をより長期に持続させることができる空気清浄システムおよび空気清浄装置を提供することにある。
【課題を解決するための手段】
【０００５】
請求項１に記載の空気清浄システムは、通風路および第１除菌部を備える。通風路は、空気を配送するために設けられる。第１除菌部は、空気に含まれるウィルスまたは菌を除去する。また、この第１除菌部は、通風路内に設けられる環状移動機構により環状移動する。なお、この第１除菌部には、光触媒、カテキンまたは溶菌酵素などが含まれる。
ここでは、第１除菌部が、通風路内に設けられる環状移動機構により環状移動する。このため、空気中に無機物が含まれており、第１除菌部上にその無機物が落ちてきたとしても、その無機物は、環状移動中に通風路の底に振り落とされることになる。このため、この空気浄化システムでは、第１除菌部に無機物などが堆積するおそれが極めて低い。したがって、この空気浄化システムでは、ウィルスや菌を除去する効果をより長期に持続させることができる。
【０００６】
請求項２に記載の空気清浄システムは、請求項１に記載の空気清浄システムであって、洗浄部をさらに備える。この洗浄部は、第１除菌部を洗浄するために設けられる。
ここでは、空気清浄システムが、洗浄部をさらに備える。このため、この空気浄化システムでは、ウィルスや菌を除去する効果をさらに長期に持続させることができる。
請求項３に記載の空気清浄システムは、請求項１または２に記載の空気清浄システムであって、通風路は、内壁に第２除菌部を保持する。
【０００７】
ここでは、通風路が、内壁に第２除菌部を保持する。このため、この空気浄化システムでは、ウィルスや菌を除去する効果をさらに高めることができる。
請求項４に記載の空気清浄システムは、請求項１から３のいずれかに記載の空気清浄システムであって、フィルタをさらに備える。フィルタは、第３除菌部を有する。第３除菌部は、ウィルスまたは菌を除去する。
【０００８】
ここでは、空気浄化システムが、フィルタをさらに備える。また、このフィルタが、第３除菌部を有する。このため、この空気浄化システムでは、ウィルスや菌を除去する効果をさらに高めることができる。
請求項５に記載の空気清浄システムは、請求項１から４のいずれかに記載の空気清浄システムであって、環状移動機構は、交差面を有する。交差面は、空気の配送方向と交差する状態で移動する。また、第１除菌部は、その交差面に設けられる。
【０００９】
ここでは、環状移動機構が、交差面を有し、その交差面に第１除菌部が設けられる。このため、空気と第１除菌部との接触効率を高めることができる。したがって、この空気浄化システムでは、ウィルスや菌を除去する効果をさらに高めることができる。
請求項６に記載の空気清浄システムは、請求項１から５のいずれかに記載の空気清浄システムであって、第１除菌部は、吸着部を含む。この吸着部は、ウィルスまたは菌を吸着する。なお、この吸着部には、アパタイト、活性炭またはゼオライトなどが含まれる。
【００１０】
ここでは、第１除菌部が、吸着部を含む。そして、この吸着部は、ウィルスまたは菌を特異的に吸着する。このため、この空気浄化システムでは、無機物の堆積を誘発することなく、ウィルスや菌をさらに除菌部に誘導することができる。したがって、この空気浄化システムでは、ウィルスや菌を除去する効率をさらに高めることができる。
請求項７に記載の空気清浄システムは、請求項１から６のいずれかに記載の空気清浄システムであって、第１除菌部は、光触媒をさらに含む。この光触媒は、所定の波長領域の光が照射されることによりウィルスまたは菌を除去する。
【００１１】
ここでは、第１除菌部が、光触媒を含む。このため、この光触媒に適切な波長域の光が照射されれば、ウィルスや菌を除去することができる。
請求項８に記載の空気清浄システムは、請求項７に記載の空気清浄システムであって、通風路は、採光部を有する。この採光部は、所定の波長領域の光を取り入れる。
ここでは、通風路が、採光部を有する。また、その採光部が、所定の波長領域の光を取り入れる。このため、特殊な光源を用意することなく、光触媒の触媒反応を活性化することができる。
【００１２】
請求項９に記載の空気清浄システムは、請求項７に記載の空気清浄システムであって、通風路は、光源を有する。この光源は、所定の波長領域の光を照射する。
ここでは、通風路が、光源を有する。このため、容易に光触媒を活性化することができる。また、例えば、この光源の近傍に光触媒を担持したフィルタを配置しておけば、そのフィルタ上の光触媒も活性化され、より効率的にウィルスや菌を除去することができる。
【００１３】
請求項１０に記載の空気清浄システムは、請求項１から９に記載の空気清浄システムであって、塵埃排出部をさらに備える。塵埃排出部は、環状移動機構の上に堆積する塵埃を排出する。
ここでは、空気清浄システムが、塵埃排出部をさらに備える。このため、この空気浄化システムでは、無機物などが堆積するおそれが極めて低い。したがって、この空気浄化システムでは、システム内をクリーンに保つことができる。
【００１４】
請求項１１に記載の空気清浄装置は、通風路および除菌部を備える。通風路は、空気を配送するために設けられる。除菌部は、空気に含まれるウィルスまたは菌を除去する。また、この除菌部は、通風路内に設けられる環状移動機構により環状移動する。なお、この除菌部には、光触媒、カテキンまたは溶菌酵素などが含まれる。
ここでは、除菌部が、通風路内に設けられる環状移動機構により環状移動する。このため、空気中に無機物が含まれており、除菌部上にその無機物が落ちてきたとしても、その無機物は、環状移動中に通風路の底に振り落とされることになる。このため、この空気浄化装置では、除菌部に無機物などが堆積するおそれが極めて低い。したがって、この空気浄化装置では、ウィルスや菌を除去する効果をより長期に持続させることができる。
【発明の効果】
【００１５】
請求項１に係る空気清浄システムでは、ウィルスや菌を除去する効果をより長期に持続させることができる。
請求項２に係る空気清浄システムでは、ウィルスや菌を除去する効果をさらに長期に持続させることができる。
請求項３に係る空気清浄システムでは、ウィルスや菌を除去する効果をさらに高めることができる。
【００１６】
請求項４に係る空気清浄システムでは、ウィルスや菌を除去する効果をさらに高めることができる。
請求項５に係る空気清浄システムでは、ウィルスや菌を除去する効果をさらに高めることができる。
請求項６に係る空気清浄システムでは、ウィルスや菌を除去する効率をさらに高めることができる。
【００１７】
請求項７に係る空気清浄システムでは、光触媒に適切な波長域の光が照射されれば、ウィルスや菌を除去することができる。
請求項８に係る空気清浄システムでは、特殊な光源を用意することなく、光触媒の触媒反応を活性化することができる。
請求項９に係るの空気清浄システムでは、容易に光触媒を活性化することができる。
【００１８】
請求項１０に係る空気清浄システムでは、システム内をクリーンに保つことができる。
請求項１１に係る空気清浄装置では、ウィルスや菌を除去する効果をより長期に持続させることができる。
【発明を実施するための最良の形態】
【００１９】
＜第１実施形態＞
本発明の第１実施形態では、空気調和システム１０１について説明する。
［空気調和システムの構成］
第１実施形態に係る空気調和システム１０１を図１に示す。この空気調和システム１０１は、図１に示すように、主に、給気ダクト２０、環状ベルト装置４０、プレフィルタ１１、光触媒フィルタ１２、およびダクト式空調ユニット３０から構成される。
【００２０】
［空気清浄システムの構成要素］
（１）給気ダクト
給気ダクト２０は、部屋Ｒの天井裏に配置される。また、この給気ダクト２０は、屋外の光ＳＬを給気ダクト２０内に導くための採光口２５を有している。なお、この給気ダクト２０は、内壁が鏡面仕上げされており、さらにその内壁には光触媒アパタイト層（図示せず）が設けられている。
【００２１】
（２）環状ベルト装置
環状ベルト装置４０は、給気ダクト２０内に配置される。この環状ベルト装置４０は、主に、第１ローラ４１、第２ローラ４２、環状ベルト４３および多数の垂直板４４から構成される。第１ローラ４１は、給気ダクト２０内に回転可能な状態で固定される。第２ローラ４２は、給気ダクト２０内に固定され、図示しない駆動モータにより回転運動を行い、環状ベルト４３を移動させる（図１の矢印Ｍ１参照）。環状ベルト４３は、第１ローラ４１と第２ローラ４２との外周で支持されるようにはめ込まれる。また、垂直板４４は、環状ベルト４３の外周に、空気流れ方向（図１の白抜き矢印ＯＡ参照）に交差するように設けられる。なお、この垂直板４４の表面は、鏡面コーティングされており、さらに光触媒アパタイト層を有している。
【００２２】
（３）プレフィルタ
プレフィルタ１１は、給気ダクト２０の給気口に設けられ、外気ＯＡに含まれる比較的大きな塵埃を捕集する。
（４）光触媒フィルタ
光触媒フィルタ１２は、ダクト式空調ユニット３０の内に設けられ、プレフィルタ１１を通過した比較的小さな塵埃を捕集する。なお、この光触媒フィルタ１２は、光触媒アパタイトを担持しており、その塵埃とともにその塵埃に付着しているウィルスや菌などを分解除去する。
【００２３】
（５）ダクト式空調ユニット
ダクト式空調ユニット３０は、給気ダクト２０の間に設けられ、内部に、図示しない送風ファンと熱交換器とを備える。送風ファンは、給気ダクト２０を介して、屋外の空気ＯＡを吸い込む。また、この送風ファンは、部屋Ｒの空気をも吸い込む。そして、この送風ファンは、吸い込んだ空気を室内Ｒに吹き出す。熱交換器は、図示しない室外ユニットと冷媒配管を介して接続される。この熱交換器には、冷媒配管を介して冷媒（冷房時は冷媒液、暖房時は冷媒ガス）が供給される。そして、この熱交換器では、空気がその冷媒と熱交換を起こすことにより冷却または加熱され、調和空気が生成される。
【００２４】
［空気調和システムの特徴］
（１）
第１実施形態に係る空気調和システム１０１では、光触媒アパタイト層を有する垂直板４４が、給気ダクト２０内に設けられる環状ベルト装置４０により環状移動する。このため、空気中に無機物が含まれており、光触媒アパタイト層上にその無機物が落ちてきたとしても、その無機物は、環状移動中に給気ダクトの底に振り落とされることになる。このため、この空気調和システム１０１では、光触媒アパタイト層に無機物などが堆積するおそれが極めて低い。したがって、この空気調和システム１０１では、ウィルスや菌を除去する効果をより長期に持続させることができる。
【００２５】
（２）
第１実施形態に係る空気調和システム１０１では、給気ダクト２０の内壁に光触媒アパタイト層が設けられる。このため、この空気調和システム１０１では、ウィルスや菌を除去する効果をさらに高めることができる。
（３）
第１実施形態に係る空気調和システム１０１では、光触媒フィルタ１２が設けられる。このため、この空気調和システム１０１では、ウィルスや菌を除去する効果をさらに高めることができる。
【００２６】
（４）
第１実施形態に係る空気調和システム１０１では、環状ベルト装置４０が、多数の垂直板４４を有し、その垂直板４４に光触媒アパタイト層が設けられる。このため、空気と光触媒アパタイト層との接触効率を高めることができる。したがって、この空気調和システム１０１では、ウィルスや菌を除去する効果をさらに高めることができる。
【００２７】
（５）
第１実施形態に係る空気調和システム１０１では、光触媒として光触媒アパタイトが採用される。
このアパタイトは、ウィルスや菌に対して高い吸着特性を示すことが知られている。これは、主に、アパタイトが電荷を帯びており、ウィルスや菌と水素結合やイオン結合などを形成しやすいためとされている。このため、光触媒アパタイト層は、ウィルスや菌を強固に吸着することができる。したがって、この空気調和システム１０１では、ウィルスや菌を除去する効率をさらに高めることができる。
【００２８】
（６）
第１実施形態に係る空気調和システム１０１では、給気ダクト２０が、採光口２５を有する。また、その採光口２５が、所定の波長領域の光を取り入れる。このため、特殊な光源を用意することなく、光触媒の触媒反応を活性化することができる。
（７）
第１実施形態に係る空気調和システム１０１では、給気ダクト２０の内壁が鏡面仕上げされている。また、垂直板４４の表面も鏡面コーティングされている。このため、この給気ダクト２０内は、光が反射しやすい環境になっている。このため、給気ダクト２０内に広範囲に光を供給することができる。したがって、この空気調和システム１０１では、ウィルスや菌を除去する効率をさらに高めることができる。
【００２９】
（８）
第１実施形態に係る空気調和システム１０１では、ウィルスや菌を除去するために光触媒アパタイトを採用している。この光触媒アパタイトは、ウィルスや菌に対する高い吸着特性を示すことが知られている。これは、主に、アパタイトが電荷を帯びており、ウィルスや菌と水素結合やイオン結合などを形成しやすいためとされている。このため、光触媒アパタイトは、ウィルスや菌を静電的に吸着することができる。したがって、光触媒アパタイトは、ウィルスや菌を強固に吸着することができる。この結果、この空気調和システム１０１では、ウィルスや菌を除去する効率をさらに高めることができる。
【００３０】
［変形例］
（Ａ）
第１実施形態では、垂直板４４に光触媒アパタイト層が設けられたが、これに加えて、環状ベルト４３に光触媒アパタイト層を設けてもよい。このようにすれば、ウィルスや菌を除去する効果をさらに高めることができる。
【００３１】
（Ｂ）
第１実施形態では、環状ベルト４３に、光触媒アパタイト層を有する垂直板４４を多数設けたが、垂直板４４をなくして環状ベルト４３に光触媒アパタイト層を設けてもよい。
（Ｃ）
第１実施形態では、環状ベルト４３および垂直板４４は環状ベルト装置４０の回転運動により無機物などの堆積物を除去するようにしていたが、図２に示すように、第３ローラ１４５と洗浄層１５０とを設けた環状ベルト装置１４０を採用してもよい。このようにすれば、洗浄水１５５により堆積物を積極的に除去することができ、ひいてはウィルスや菌を除去する効果をより長期に持続させることができる（図２の矢印Ｍ２参照）。また、光触媒アパタイトは、触媒反応を行うのに水分を必要とする。このため、このような環状ベルト装置１４０を利用すれば、さらに光触媒アパタイトの触媒反応を活性することができる。
【００３２】
（Ｄ）
第１実施形態では、環状ベルト４３および垂直板４４は環状ベルト装置４０の回転運動により無機物などの堆積物を除去するようにしていたが、図３に示すように、環状ベルト４３の一部が屋外に露出するように環状ベルト装置４０を配置してもよい。なお、この場合、塵埃を屋外に排出するための傾斜部５０などを設けるのが好ましい。このようにすれば、空気調和システム１０内に無機物などが堆積するおそれを極めて低くすることができる。
【００３３】
（Ｅ）
第１実施形態では、給気ダクト２０に採光部２５が設けられたが、これに代えて、図４に示すように、紫外線ランプ６０を給気ダクト２０内に配置してもよい。このようにすれば、屋外の天候にかかわらず一定量の光量を光触媒に供給し続けることができる。また、例えば、この紫外線ランプ６０の近傍に光触媒を担持したフィルタを配置しておけば、そのフィルタ上の光触媒も活性化され、より効率的にウィルスや菌を除去することができる。
【００３４】
（Ｆ）
第１実施形態では、光触媒として光触媒アパタイトを採用したが、これに代えて、二酸化チタン（アナターゼ型、ルチル型およびブルッカイト型など）、酸化銅、酸化亜鉛、酸化タングステン、酸化鉄、硫化カドミウム、硫化亜鉛、チタン酸ストロンチウム、フラーレン（イオン注入されたものも含まれる）、ポリパラフェニレン、ポリアニリン、ポリピリジン、ポリピロール、ポリチオフェン、ポルフィリン錯体（中心金属：亜鉛、アルミニウムなど）などを採用してもよい。また、これらの光触媒と、ゼオライトや活性炭などの吸着剤とを混合した吸着剤混合型光触媒を採用してもかまわない。
【００３５】
＜第２実施形態＞
本発明の第２実施形態では、空気清浄機２０１について説明する。
［空気清浄機の全体構成］
図５に、本発明の第２実施形態に係る空気清浄機２０１の外観図を示す。
空気清浄機２０１は、ビルや住宅などの室内空気を清浄し清浄後の空気を室内に送風することにより、室内を快適な環境に保つ。この空気清浄機２０１は、ケーシング２１０と、送風機構２２０（図６参照）と、制御部２５０（図７参照）と、フィルタユニット２３０（図６参照）とを備えている。
【００３６】
ケーシング２１０は、空気清浄機２０１の外表面を構成し、送風機構２２０と、制御部２５０と、フィルタユニット２３０とを内包する。ケーシング２１０は、本体部２１１と、正面パネル２１２とを有している。
本体部２１１は、上面吸い込み口２１３と、側面吸い込み口２１４と、吹き出し口２１５とを有している。上面吸い込み口２１３と側面吸い込み口２１４とは、空気清浄機２０１内において室内空気を清浄するために、室内空気を空気清浄機２０１内に吸い込むための略矩形の開口である。上面吸い込み口２１３は、吹き出し口２１５が設けられる面と同じ本体部２１１上面の正面側端部に設けられる。側面吸い込み口２１４は、本体部２１１の側面に左右それぞれ設けられる一対の開口である。吹き出し口２１５は、本体部２１１上面の背面側端部に設けられる。吹き出し口２１５は、清浄後の空気を空気清浄機２０１から室内に向かって吹き出すための開口である。
【００３７】
正面パネル２１２は、本体部２１１の前方に設けられ、本体部２１１の内部に設置されるフィルタユニット２３０を覆っている。正面パネル２１２は、正面吸い込み口２１６と、表示パネル開口２１７とを有している。正面吸い込み口２１６は、正面パネル２１２の略中央部に設けられる室内空気を空気清浄機２０１内に吸い込むための略矩形の開口である。表示パネル開口２１７は、後述する表示パネル２５６がケーシング２１０外部から目視できるように設けられている。
【００３８】
送風機構２２０は、各吸い込み口（上面吸い込み口２１３、側面吸い込み口２１４および正面吸い込み口２１６）から室内空気を吸い込み、吹き出し口２１５から清浄後の空気を吹き出す。この送風機構２２０は、ケーシング２１０の内方に設けられ、各吸い込み口から吸い込んだ室内空気がフィルタユニット２３０を通過するように構成されている。また、送風機構２２０は、図６に示されるように、ファンモータ２２１と、ファンモータ２２１によって回転駆動される送風ファン２２２とを備えている。ファンモータ２２１としては、インバータ回路により周波数制御されるインバータモータが採用される。送風ファン２２２としては、遠心ファンが採用される。
【００３９】
空気清浄機２０１は、さらに、マイクロプロセッサで構成される制御部２５０を備えている。図７に示されるように、制御部２５０には、制御プログラムや各種パラメータが格納されるＲＯＭ２５１、処理中の変数などを一時的に格納するＲＡＭ２５２などが接続されている。
また、制御部２５０には、温度センサ２５３、湿度センサ２５４、ダストセンサ２５５などの各種センサ類が接続されており、各センサの検出信号が入力される。ダストセンサ２５５は、導入される空気中に光を照射し、空気中に含まれる煙、ホコリ、花粉、その他の粒子によって乱射されて受光素子に到達した光量を検出して、粉塵などの粒子濃度を測定することができる。
【００４０】
さらに、制御部２５０には、表示パネル２５６が接続されている。表示パネル２５６は、運転モード、各種センサによるモニタ情報、タイマ情報、メンテナンス情報などを表示し、使用者などが外部から表示パネル開口２１７を介して目視できるようになっている。また、この表示パネル２５６は、液晶表示パネル・ＬＥＤ・その他の表示素子またはこれらの組み合わせで構成することが可能である。
【００４１】
さらに、制御部２５０は、ファンモータ２２１に接続されており、使用者の操作や各種センサの検出結果などに応じて、これらの装置の稼働を制御することができる。
［フィルタユニットの構成］
フィルタユニット２３０は、ケーシング２１０の内部に設けられ、各吸い込み口２１３，２１４，２１６から吸い込んだ室内空気に含まれる微粒子を除去する。図６に示されるように、フィルタユニット２３０は、プレフィルタ２３１と、プラズマイオン化部２３２と、除菌フィルタ２３３と、インバータランプ３５とを有している。フィルタユニット２３０は、各吸い込み口２１３，２１４，２１６から吸い込んだ室内空気がプレフィルタ２３１、プラズマイオン化部２３２、除菌フィルタ２３３の順にフィルタユニット２３０内を通過するように構成されている。
【００４２】
プレフィルタ２３１は、送風機構２２０によりケーシング２１０内に吸い込まれる空気から比較的大きな塵埃などを除去するためのフィルタである。プレフィルタ２３１は、ネット部３１０と、フレーム３１１とを有している（図８参照）。ネット部３１０は、ポリプロピレン（以下、ＰＰという）製の糸状の樹脂網であって、ケーシング２１０内に吸い込まれる空気に含まれる比較的大きな塵埃などが付着する。また、ネット部３１０を構成する繊維は、ＰＰによって構成される芯３１０ａと同じくＰＰによって構成される被覆層３１４とからなる。被覆層３１４には、可視光線型の光触媒３１２とカテキン３１３とが空気側に露出するように担持されている（図９参照）。可視光線型の光触媒３１２は、可視光線により光触媒作用が活性化される酸化チタンなどを含んでおり、ネット部３１０に付着する塵埃などに含まれるカビ菌や細菌などの菌やウィルスを除去する。カテキンは、ポリフェノールの一種であって、エピカテキン、エピガロカテキン、エピカテキンガレート、エピガロカテキンガレートなどの総称である。このカテキンは、ネット部３１０に付着する塵埃などに含まれるカビ菌や細菌などの菌の繁殖を抑制したりウィルスを不活化したりする（図９参照）。
【００４３】
プラズマイオン化部２３２は、プレフィルタ２３１通過後の空気に含まれる塵埃などに強い電荷をかけて帯電させる。この帯電により、除菌フィルタ２３３の静電フィルタ３３０における塵埃などの捕集効率が高められる。また、このプラズマイオン化部２３２は、塵埃に含まれるウィルスや菌も帯電させるため、後述する光触媒アパタイトへのウィルスや菌の吸着効率を向上させることができ、ひいてはウィルスや菌の除去効率を向上させることになる。
【００４４】
除菌フィルタ２３３は、環状のフィルタであって、図６に示すように、第１ローラ２４１と第２ローラ４２４との外周で支持されるようにはめ込まれる。なお、この第１ローラ２４１は、回転可能な状態でケーシング２１０に固定される。また、第２ローラ２４２は、図示しない駆動モータにより回転運動を行う（図６の矢印Ｍ３参照）。また、第２ローラ２４２の下部には、除菌フィルタ２３３を洗浄するための洗浄水２４７が入った洗浄層２４５が設けられている。なお、除菌フィルタ２３３が洗浄液に浸浸されることにより、空気の流れが低下することが心配されるが、かかる場合は除菌フィルタ２３３の下流側に除菌フィルタ２３３乾燥用の小型ファン２３７を設けてもかまわない。
【００４５】
図１０に、除菌フィルタ２３３の断面図の一部を示す。この除菌フィルタ２３３は、静電フィルタ３３０と、光触媒フィルタ３３１とを有している。静電フィルタ３３０と光触媒フィルタ３３１とが積層されることにより、除菌フィルタ２３３が形成されている。静電フィルタ３３０は、除菌フィルタ２３３が空気流れ方向上流側に来たときに、空気流れの上流側に位置するように配置される。また、光触媒フィルタ３３１は、除菌フィルタ２３３が空気流れ方向上流側に来たときに、空気流れの下流側に位置するように配置される。静電フィルタ３３０は、プラズマイオン化部２３２で帯電させられた塵埃などを吸着する。光触媒フィルタ３３１には、静電フィルタ３３０を通過する塵埃などが付着する。光触媒フィルタ３３１のもう片方の表面には、カルシウムヒドロキシアパタイトのカルシウム原子がチタン原子と置換された光触媒アパタイト３３４が担持されている。この光触媒アパタイト３３４は、塵埃などに含まれるウィルスやカビ菌、細菌などを吸着して除去する。また、この光触媒アパタイト３３４は、光触媒フィルタ３３１を通過する空気に含まれるアンモニア類、アルデヒド類３３６、窒素酸化物３３７なども吸着して分解する（図１１参照）。
【００４６】
インバータランプ２３５は、除菌フィルタ２３３の間に配置されている。このインバータランプ２３５は、除菌フィルタ２３３の光触媒フィルタ３３１に紫外線を照射するものであり、各光触媒フィルタ３３１の光触媒作用を活性化する。
［空気清浄機の特徴］
第２実施形態に係る空気清浄機２０１では、除菌フィルタ２３３が、環状に移動し、洗浄液２４７により洗浄される。このため、この空気清浄機２０１では、光触媒フィルタ３３１に堆積する無機物を積極的に排除することができる。したがって、この空気清浄機２０１では、ウィルスや菌を除去する効果をより長期に持続させることができる。
【００４７】
［変形例］
第２実施形態では、本発明を空気清浄機２０１に適用しているが、図１２に示すような冷暖房を行う空気調和機４００に本発明を適用してもよい。
この空気調和機４００は、調和された空気を室内に供給するための装置であって、室内の壁面などに取り付けられる室内機４０１と、室外に設置される室外機４０２とを備えている。室内機４０１には、室内の空気を空気調和機４００内に取り込むための吸い込み口４０５が設けられており、この吸い込み口４０５の内側にフィルタユニット（図示せず）が装備される。このフィルタユニットに対して本発明を適用した場合にも、フィルタユニットに付着および吸着されるウィルスやカビ菌、細菌などが除去されるため、悪臭の発生や空気の汚染が起こることを抑えられる。
【産業上の利用可能性】
【００４８】
本発明に係る空気清浄システムおよび空気清浄装置は、ウィルスや菌を除去する効果をより長期に持続させることができ、空気調和システムと併用することも可能である。
【図面の簡単な説明】
【００４９】
【図１】第１実施形態に係る空気調和システムのシステム構成図。
【図２】第１実施形態の変形例（Ｃ）に係る環状ベルト装置の構造図。
【図３】第１実施形態の変形例（Ｄ）に係る空気調和システムのシステム構成図。
【図４】第１実施形態の変形例（Ｅ）に係る空気調和システムのシステム構成図。
【図５】第２実施形態に係る空気清浄機の外観図。
【図６】フィルタ類および送風機構の分解図。
【図７】制御部の概略ブロック図。
【図８】プレフィルタの詳細図。
【図９】プレフィルタのネット部の断面拡大図。
【図１０】除菌フィルタの断面図の一部。
【図１１】除菌フィルタが微粒子を捕集する際の除菌フィルタの断面拡大図。
【図１２】第２実施形態の変形例に係る空気調和機の外観斜視図。
【符号の説明】
【００５０】
１２              光触媒フィルタ（フィルタ）
２０              ダクト（通風路）
２５              採光口（最後部）
４０              環状ベルト装置（環状移動機構）
４４              垂直板（交差面）
５０              傾斜部（塵埃排出部）
６０              紫外線ランプ（光源）
１０１              空気調和システム（空気清浄システム）
１５５              洗浄層（洗浄部）
２０１              空気清浄機（空気清浄装置）
２３３              光触媒フィルタ（除菌部）
２４１，２４２      ローラ（環状移動機構）
【図１】
2005164069.tif 000003
【図２】
2005164069.tif 000004
【図３】
2005164069.tif 000005
【図４】
2005164069.tif 000006
【図５】
2005164069.tif 000007
【図６】
2005164069.tif 000008
【図７】
2005164069.tif 000009
【図８】
2005164069.tif 000010
【図９】
2005164069.tif 000011
【図１０】
2005164069.tif 000012
【図１１】
2005164069.tif 000013
【図１２】
2005164069.tif 000014